(57)【特許請求の範囲】
【請求項１】
底板(1)の周囲にそれぞれ対向する側壁(2)及び端壁(3)を立設し、端壁(3)を、底板(1)に順次繋がる外端板(4)、額縁(5)及び内端板(6)を巻き込み、側壁(2)の側辺から延びる折込片(7)を外端板(4)と内端板(6)とで挟持して形成し、内端板(6)の両側部を側壁(2)に係合させた段ボール製トレーにおいて、前記外端板(4)及び折込片(7)には、底角部から内方向へ傾斜して上端に至る正折罫線(11)を入れ、内端板(6)には、正折罫線(11)に一致するように傾斜した逆折罫線(12)を入れ、額縁(5)には、正折罫線(11)と逆折罫線(12)の上端間に亘る逃穴(13)を設け、また、内端板(6)には、その先端縁に逆折罫線(12)が外側辺となる逃穴(14)を設け、端壁(3)を正折罫線(11)及び逆折罫線(12)沿いに外側へ張り出すように折り曲げて、対向する端壁(3)間の長さを額縁(5)側で拡大できるようにしたことを特徴とする額縁折曲可変式トレー。
【請求項２】
前記内端板(6)を、額縁(5)から高さ方向の中間部までとしたことを特徴とする請求項１に記載の額縁折曲可変式トレー。
【請求項３】
前記逃穴(13)を、正折罫線(11)の上端から逆折罫線(12)の上端へかけて幅が広くなった三角状としたことを特徴とする請求項１又は２に記載の額縁折曲可変式トレー。
【発明の詳細な説明】
【技術分野】
【０００１】
この発明は、サイズの異なる物品を嵌め込むことのできる額縁可変式トレーに関するものである。
【背景技術】
【０００２】
従来より、物品収納用の段ボール製トレーとして、下記特許文献１に記載されたものが使用されている。
【０００３】
このトレーは、図７に示すように、物品を受け止める底板５１の周囲にそれぞれ対向する側壁５２及び端壁５３を立設し、端壁５３を、底板５１に順次繋がる外端板５４、額縁５５及び内端板５６を巻き込み、側壁５２の両側辺から延びる折込片５７を外端板５４と内端板５６とで挟持して形成したものとされている。
【０００４】
このトレーでは、内端板５６の両側辺下部の係止突起５８を、側壁５２の係止穴５９に係合させて、内端板５６の反発を抑制している。また、内端板５６には、額縁５５側の角部から内方向へ傾斜する折罫線６０が入れられ、先端中央部に半円状に切り欠かれた指掛部６１が設けられている。
【０００５】
そして、このトレーの解体に際し、指掛部６１に指を掛けて、内端板５６の先端部を引き上げると、内端板５６が折罫線６０沿いに折れ曲がって、係止突起５８が係止穴５９から抜けるので、側壁５２と端壁５３を伏倒させ、トレーを偏平なブランクに戻し、嵩張らない状態で廃棄することができる。
【０００６】
また、上記トレーと基本構成が共通するトレーにおいて、材料である段ボールの使用面積を削減するため、内端板５６を額縁５５から高さ方向中間部までの寸法としたものも使用されている。
【先行技術文献】
【特許文献】
【０００７】
【特許文献１】特開平８−９１３５０号公報
【発明の概要】
【発明が解決しようとする課題】
【０００８】
しかしながら、上記のようなトレーでは、例えば、上下反転させた状態で、便器の保護用カバーとして使用する場合、便器を対向する側壁及び端壁に内接するように嵌め込もうとすると、単一のサイズの便器にしか対応できないという問題がある。
【０００９】
そこで、この発明は、額縁を有するトレーを、サイズの異なる物品の保護に兼用できるようにすることを課題とする。
【課題を解決するための手段】
【００１０】
上記のような課題を解決するため、この発明は、底板の周囲にそれぞれ対向する側壁及び端壁を立設し、端壁を、底板に順次繋がる外端板、額縁及び内端板を巻き込み、側壁の側辺から延びる折込片を外端板と内端板とで挟持して形成し、内端板の両側部を側壁に係合させた段ボール製トレーにおいて、前記外端板及び折込片には、底角部から内方向へ傾斜して上端に至る正折罫線を入れ、内端板には、正折罫線に一致するように傾斜した逆折罫線を入れ、額縁には、正折罫線と逆折罫線の上端間に亘る逃穴を設け、また、内端板には、その先端縁に逆折罫線が外側辺となる逃穴を設け、端壁を正折罫線及び逆折罫線沿いに外側へ張り出すように折り曲げて、対向する端壁間の長さを額縁側で拡大できるようにしたのである。
【００１１】
また、前記内端板を、額縁から高さ方向の中間部までとしたのである。
【００１２】
さらに、前記逃穴を、正折罫線の上端から逆折罫線の上端へかけて幅が広くなった三角状としたのである。
【発明の効果】
【００１３】
この段ボール製トレーでは、端壁を折り曲げることなく、対向する端壁間の長さを短くしておくと、小型の物品を対向する側壁及び端壁に内接させて保持でき、端壁を正折罫線及び逆折罫線沿いに外側へ張り出すように折り曲げて、対向する端壁間の長さを額縁側で拡大すると、大型の物品を嵌め込んで保持できるので、梱包材の種別数を削減できる。
【００１４】
また、内端板を底板まで延長する必要がないので、段ボールの使用面積が増えることもなく、製造コストを抑制できる。
【図面の簡単な説明】
【００１５】
【図１】この発明に係る段ボール製トレーのブランクを示す図
【図２】同上の組立過程を示す斜視図
【図３】同上の組立後の標準状態を示す斜視図
【図４】同上の拡大状態を示す斜視図
【図５】同上の小型の便器に適用した状態を示す斜視図
【図６】同上の大型の便器に適用した状態を示す斜視図
【図７】従来の段ボール製トレーを示す斜視図
【発明を実施するための形態】
【００１６】
以下、この発明の実施形態を添付図面に基づいて説明する。
【００１７】
この段ボール製トレーは、図１に示すようなブランクから形成される。このブランクでは、長方形の底板１の一対の長辺に側壁２が連設され、端壁３をなす部分として、底板１の一対の短辺に外端板４、額縁５及び内端板６が順次連設され、側壁２の両側辺に折込片７が連設されている。
【００１８】
内端板６は、材料である段ボールの使用効率を高めるため、外端板４の半分よりも短い寸法とされ、ブランク状態において、内端板６と折込片７の先端が揃っている。
【００１９】
折込片７には、噛合用の切込８が形成され、内端板６の先端部の両側辺には係止突起９が、側壁２の折込片７との境界部には係止穴１０がそれぞれ設けられている。
【００２０】
一方の外端板４及び折込片７には、組立状態で底角部から内方向へ傾斜して上端に至る正折罫線１１が入れられ、内端板６には、正折罫線１１に組立時に一致するように傾斜した逆折罫線１２が入れられている。正折罫線１１は、段ボールの裏面側から押圧した押罫とされ、逆折罫線１２は、ミシン目状に切目が断続するものとされている。
【００２１】
額縁５には、正折罫線１１と逆折罫線１２に挟まれた部分に、正折罫線１１側から逆折罫線１２側へかけて幅広となった三角形状の逃穴１３が設けられている。また、内端板６の先端縁には、逆折罫線１２が外側辺となる三角形状の逃穴１４が設けられている。
【００２２】
このブランクを組み立てるには、図２に示すように、底板１から一対の側壁２を起立させ、対向する側壁２から延びる折込片７を内側へ折り曲げて、折込片７同士を切込８により噛み合わせる。
【００２３】
次に、一対の外端板４を起立させ、額縁５を内側へ、内端板６を下方へ順次巻き込むように折り曲げ、図３に示すように、折込片７を外端板４と内端板６とで挟持して、端壁３を直立状態に形成し、係止突起９を係止穴１０に係合させて、内端板６の反発を抑制すると、トレーＴが組み立てられる。
【００２４】
このような段ボール製トレーＴでは、図４に示すように、一方の端壁３を正折罫線１１及び逆折罫線１２沿いに外側へ張り出すように折り曲げて、対向する端壁３間の長さを額縁５側で拡大することができる。
【００２５】
そして、上記のようなトレーＴを、図５及び図６に示すように、便器Ｓ１，Ｓ２の保護用カバーとして使用する場合には、トレーＴに緩衝材Ｐを挿入して、上下反転させた状態で、便器Ｓ１，Ｓ２の上部をトレーＴに嵌め込む。
【００２６】
このとき、図５に示すように、端壁３を折り曲げることなく、対向する端壁３間の長さを短くしておくと、小型の便器Ｓ１を対向する側壁２及び端壁３に内接させて保持でき、トレーＴががたつくことがなく、便器Ｓ１を輸送時の衝撃から保護できる。
【００２７】
また、図６に示すように、端壁３を正折罫線１１及び逆折罫線１２沿いに外側へ張り出すように折り曲げて、対向する端壁３間の長さを額縁５側で拡大すると、大型の便器Ｓ２を嵌め込んで保持することができ、便器Ｓ２を輸送時の衝撃から保護できる。
【００２８】
このように、上記のようなトレーＴでは、サイズの異なる便器Ｓ１，Ｓ２を保護することができ、梱包材の種別数を削減できるので、製品出荷に伴う梱包資材の管理業務の省力化を図ることができる。
【００２９】
また、内端板６を底板１まで延長する必要がないので、段ボールの使用面積が増えることもなく、製造コストを抑制できる。
【００３０】
なお、上記実施形態では、一方の端壁３のみ折曲可能としたものを例示したが、梱包する物品の形状や大きさによっては、両方の端壁３を折曲可能な構造とすると、対応できる物品のサイズの範囲が拡大する。
【符号の説明】
【００３１】
１  底板
２  側壁
３  端壁
４  外端板
５  額縁
６  内端板
７  折込片
８  切込
９  係止突起
１０  係止穴
１１  正折罫線
１２  逆折罫線
１３，１４  逃穴
Ｔ  トレー
Ｓ１，Ｓ２  便器
Ｐ  緩衝材
【図１】
0005635427.tif 000002
【図２】
0005635427.tif 000003
【図３】
0005635427.tif 000004
【図４】
0005635427.tif 000005
【図５】
0005635427.tif 000006
【図６】
0005635427.tif 000007
【図７】
0005635427.tif 000008